(57)【要約】【課題】画像形成装置の高さ位置及び使用状態を最適な状態とすることを可能とする。【解決手段】オペレータの身長などの使用条件に従って、支持スタンド機構３０の台座脚部３２を任意の高さまで伸縮可能とすることによって、装置載置部３１上の画像形成装置を各オペレータの各々に適した高さに支持して画像形成装置に対する操作・メンテナンスが円滑に行われるようにするとともに、そのときの画像形成装置の高さ位置に適合した画像形成装置の使用条件を自動的に調整してセットするスタンド使用設定制御部４９を設けて、画像形成装置における画像形成動作が良好に行われるように構成したもの。【選択図】　図１
2004017443.tif 000002
【特許請求の範囲】
【請求項１】
画像形成装置を設置可能とするように設けられた装置載置部と、その装置載置部を適宜の高さに保持する台座脚部とを備えた画像形成装置の支持スタンド機構において、
上記台座脚部が、前記装置載置部の高さ位置を調整可能とするように伸縮自在かつ固定可能に形成されているとともに、
その台座脚部には、前記装置載置部の現在固定されている高さ位置を検出する高さ検知手段が設けられ、
上記高さ検知手段からの検知信号に基づいて、前記画像形成装置が支持されている高さ位置に対応した使用条件を自動調整するスタンド使用設定制御部が設けられていることを特徴とする画像形成装置の支持スタンド機構。
【請求項２】
前記台座脚部には、当該台座脚部を高さ方向に伸縮させるように駆動して前記装置載置部の高さ位置を変更する高さ可変駆動手段が設けられていることを特徴とする請求項１記載の画像形成装置の支持スタンド機構。
【請求項３】
前記高さ可変駆動手段には、当該高さ可変駆動手段を任意のタイミングで駆動させる上下スイッチが設けられていることを特徴とする請求項２記載の画像形成装置の支持スタンド機構。
【請求項４】
前記高さ可変駆動手段の上下スイッチには、前記装置載置部が最上位置にあるときには下方側へのスイッチ動作のみを受け付け、前記装置載置部が最下位置にあるときには上方側へのスイッチ動作のみを受け付ける駆動制御部が設けられていることを特徴とする請求項３記載の画像形成装置の支持スタンド機構。
【請求項５】
前記スタンド使用設定制御部により調整する使用条件に、前記画像形成装置の操作又はメンテナンスに関する使用条件を含むことを特徴とする請求項１記載の画像形成装置の支持スタンド機構。
【発明の詳細な説明】
【０００１】
【発明の属する技術分野】
本発明は、記録媒体に画像を形成するプリンタ等の画像形成装置の支持スタンド機構に関する。
【０００２】
【従来の技術】
インク又はトナーを用いて記録紙などの記録媒体上に適宜の画像を形成するようにしたプリンタ、ファクシミリ、複写機等の各種画像形成装置が、一般に広く用いられている。例えば、図６に示されているインクジェットプリンタ１は、ロール体２からプラテン３上に引き出された記録紙Ｐ上に、インクタンク４内のインクが印字ヘッド５を通して吐出されることにより画像の形成が行われる構成になされており、その画像形成が行われた後の記録紙Ｐは、適宜の長さに切断された後に、下方に配置された排紙スタッカ６に向かって排出されて積層される。
【０００３】
このようなインクジェットプリンタ１などの各種画像形成装置では、各種操作やメンテナンスをオペレータが容易に行い得るよう、適宜の高さを有する支持スタンド機構１０の装置載置部１１上に画像形成装置を載置して良好な使用状態とすることがしばしば行われる。そのときの画像形成装置に対する操作・メンテナンスとしては、操作パネル７に対する指示操作を始めとして、上記ロール体２、印字ヘッド５及びインクタンク４の取外し・装着、並びにインクによる汚れ部位の清掃などがあるが、それらの操作・メンテナンスの対象となる物が、オペレータＷの例えば腰に相当する位置Ｗａから胸に相当する位置Ｗｂの高さ位置に配置されるように、上記支持スタンド機構１０の台座脚部１２の高さが設定される。また、このような支持スタンド機構１０は、画像形成装置の本体部から排出される記録紙Ｐが下方の排紙スタッカ６まで自由落下する間に十分に乾燥されるように適宜の空間Ｓを構成するためにも用いられる。
【０００４】
【発明が解決しようとする課題】
ところが、このような従来の構造の支持スタンド機構１０では、台座脚部１２の高さが一定寸法に固定されているため、オペレータＷの身長のバラツキなどによって画像形成装置が不適切な高さ位置になってしまうことがしばしばあり、特に、車椅子等を使用しているハンディキャップを持つオペレータにとっては、結果的に操作やメンテナンスが不可能、或いは困難な状態になってしまうおそれがある。また、図７に示されているように、任意の高さを有する机２０の上に画像形成装置を載置して用いることも考えられるが、この場合においても、画像形成装置の設置高さは固定状態となっているため、上述したと同様に、オペレータＷ側の身長のバラツキなどによって使用不可能又は困難な状態になるおそれがある。
【０００５】
そこで本発明は、画像形成装置の設置高さを任意に調整することができるとともに、その調整された後の高さに適した使用条件を自動調整することができるようにした画像形成装置の支持スタンド機構を提供することを目的とする。
【０００６】
【課題を解決するための手段】
上記目的を達成するために、請求項１にかかる画像形成装置の支持スタンド機構では、画像形成装置を設置可能とするように設けられた装置載置部と、その装置載置部を適宜の高さに保持する台座脚部とを備えた画像形成装置の支持スタンド機構において、上記台座脚部が、前記装置載置部の高さ位置を調整可能とするように伸縮自在かつ固定可能に形成されているとともに、その台座脚部には、前記装置載置部の現在固定されている高さ位置を検出する高さ検知手段が設けられ、上記高さ検知手段からの検知信号に基づいて、前記画像形成装置が支持されている高さ位置に対応した使用条件を自動調整するスタンド使用設定制御部が設けられている。
【０００７】
このような構成を有する本発明の請求項１にかかる画像形成装置の支持スタンド機構によれば、オペレータの身長などの使用条件に従って、支持スタンド機構の台座脚部が任意の高さまで伸縮されて、装置載置部上の画像形成装置が各オペレータの各々に適した高さに支持されることから、画像形成装置に対する操作・メンテナンスが円滑に行われるとともに、そのときの画像形成装置の高さ位置に適合した画像形成装置の使用条件が自動的に調整されてセットされることから、画像形成装置における画像形成動作も良好に行われるようになっている。
【０００８】
また、請求項２にかかる画像形成装置では、上記請求項１における台座脚部に、当該台座脚部を高さ方向に伸縮させるように駆動して前記装置載置部の高さ位置を変更する高さ可変駆動手段が設けられていることから、画像形成装置の高さ位置が、上記高さ可変駆動手段の駆動によって容易に変更されるようになっている。
【０００９】
さらに、請求項３にかかる画像形成装置では、上記請求項２における高さ可変駆動手段に、当該高さ可変駆動手段を任意のタイミングで駆動させる上下スイッチが設けられていることから、上下スイッチの操作を通して高さ可変駆動手段が任意のタイミングで駆動されることにより、画像形成装置の高さ位置が一層容易に調整されるようになっている。
【００１０】
さらにまた、請求項４にかかる画像形成装置では、上記請求項３における高さ可変駆動手段の上下スイッチに、前記装置載置部が最上位置にあるときには下方側へのスイッチ動作のみを受け付け、前記装置載置部が最下位置にあるときには上方側へのスイッチ動作のみを受け付ける駆動制御部が設けられていることから、上下スイッチの誤った操作によって装置が損傷されるような事態が回避されるようになっている。
【００１１】
一方、請求項５にかかる画像形成装置では、上記請求項１におけるスタンド使用設定制御部により調整する使用条件に、画像形成装置の操作又はメンテナンスに関する使用条件を含むことから、画像形成装置の使用性が極めて良好に維持されるようになっている。
【００１２】
【発明の実施の形態】
以下、図面を参照して本発明の実施形態を詳細に説明する。
図１に示されている実施形態では、支持スタンド機構３０を用いることによって、画像形成装置としてのインクジェットプリンタ４０が所望の高さ位置に支持されている。上記インクジェットプリンタ４０では、ロール体４１からプラテン４２上に引き出された記録紙Ｐ上に、インクタンク４３内のインクが印字ヘッド４４を通して吐出されることにより画像の形成が行われように構成されており、画像形成が行われた記録紙Ｐは、適宜の長さに切断された後に自由落下して、下方に配置された排紙スタッカ４５上に積層される。
【００１３】
一方、上記支持スタンド機構３０は、前述したように、前記インクジェットプリンタ４０を所望の高さ位置に支持しておくことにより当該インクジェットプリンタ４０に対する操作・メンテナンス、すなわち操作パネル４６への指示操作、ロール体４１、印字ヘッド４４及びインクタンク４３の取外し・装着、並びにインクによる汚れ部位の清掃などの作業をオペレータが容易に行い得るようにするものであるが、上記インクジェットプリンタ４０の本体部から下方の排紙スタッカ４５までの間に適宜の空間Ｓを構成することによって、その空間Ｓ内に記録紙Ｐが自由落下する際に印字画像の乾燥時間を十分に確保させる機能も有している。
以下、上記支持スタンド機構３０の構造の一実施形態を詳細に説明する。
【００１４】
すなわち、上記支持スタンド機構３０は、上記画像形成装置としてのインクジェットプリンタ４０が載置される天板状の装置載置部３１を有しているとともに、その装置載置部３１が、伸縮自在かつ固定可能に形成された台座脚部３２により適宜の高さ位置に保持されるようになっている。
【００１５】
上記台座脚部３２は、移動キャスター３２ａを有する底部基板３２ｂを備えているとともに、その底部基板３２ｂの略中心部分に、中空状の固定スタンド部３２ｃが略鉛直方向に立設されており、さらに、その固定スタンド部３２ｃに対して上方側から、同じく中空状の可動スタンド部３２ｄが、上記固定スタンド部３２ｃの外側に被さるようにして上下方向に摺動可能に装着されている。このような固定スタンド部３２ｃと可動スタンド部３２ｄとの組み合わせによって、上記台座脚部３２の全体が上下方向に伸縮する構成になされており、当該台座脚部３２の伸縮によって、上述した装置載置部３１の高さ位置が適宜に調整されるようになっている。
【００１６】
また、上記台座脚部３２には、当該台座脚部３２の可動スタンド部３２ｄを上下方向に移動・伸縮させる高さ可変駆動手段３２ｅが設けられている。すなわち、この高さ可変駆動手段３２ｅには、上記固定スタンド部３２ｃの内部側に設けられた駆動モータ３２ｅ１が設けられており、その駆動モータ３２ｅ１の回転出力が、複数の減速ギア列３２ｅ２を介して、前記可動スタンド部３２ｄ側に取り付けられたラックギア３２ｅ３に往復直線運動として伝達される構成になされている。
【００１７】
上記ラックギア３２ｅ３は、前記可動スタンド部３２ｄの内壁面に対して上下方向に延在するように取り付けられており、上記駆動モータ３２ｅ１の回転駆動によって上記ラックギア３２ｅ３とともに可動スタンド部３２ｄの全体が上下動し、それに伴って、上述した装置載置部３１が図１に示された最上位置から図２に示された最下位置までの間で移動して、上記駆動モータ３２ｅ１が停止した位置で固定状態に維持されるようになっている。
【００１８】
また、図３にも示されているように、上記駆動モータ３２ｅ１には、前記インクジェットプリンタ４０に設けられた電源部４７からの電力が、ケーブル４８内に配置された電源線４８ａを通して供給されるように構成されているとともに、前記可動スタンド部３２ｄに取り付けられている上下スイッチ３２ｅ４からのスイッチング信号が、上記駆動モータ３２ｅ１のモータ制御部３２ｅ５に対して印加され、そのスイッチング信号によって上記駆動モータ３２ｅ１が正転又は逆転して、上記装置載置部３１の高さ位置が容易に変更されるようになっている。
【００１９】
さらに、上記固定スタンド部３２ｃと可動スタンド部３２ｄとの重合部分には、当該固定スタンド部３２ｃと可動スタンド部３２ｄとの相対位置、すなわち前記装置載置部３１の高さ位置を検出する高さ検知手段３２ｆが設けられている。この高さ検知手段３２ｆは、上記固定スタンド部３２ｃ側において、上下方向に適宜の間隔をあけて配置された３個の上位センサ３２ｆ１、中位センサ３２ｆ２、及び下位センサ３２ｆ３の各フォトセンサを備えているとともに、可動スタンド部３２ｄ側には、上記各フォトセンサ３２ｆ１，３２ｆ２，３２ｆ３に対して対面可能となるようにして細長状の基準白板３２ｆ４が取り付けられている。
【００２０】
上記基準白板３２ｆ４は、前記可動スタンド部３２ｄの上下動に伴って前記３個のフォトセンサ３２ｆ１，３２ｆ２，３２ｆ３の直前を、狭小ギャップを介して上下方向に往復移動するように配置されており、各フォトセンサ３２ｆ１，３２ｆ２，３２ｆ３に対して、当該基準白板３２ｆ４が対面又は離脱する配置関係になされている。そして、上記各フォトセンサ３２ｆ１，３２ｆ２，３２ｆ３が基準白板３２ｆ４に対面した場合には、各フォトセンサ３２ｆ１，３２ｆ２，３２ｆ３から出射された検査光が上記基準白板３２ｆ４にて反射され、その反射光が、再び各々のフォトセンサ３２ｆ１，３２ｆ２，３２ｆ３に受けられることによって、当該各フォトセンサ３２ｆ１，３２ｆ２，３２ｆ３から検知信号が発せられるようになっている。
【００２１】
このような３個のフォトセンサ３２ｆ１，３２ｆ２，３２ｆ３から発せられる検知信号は、上述したケーブル４８内の信号線４８ｂを通して、前記インクジェットプリンタ４０内に設けられたスタンド使用設定制御部４９に出力されており、そのスタンド使用設定制御部４９において、上記各フォトセンサ３２ｆ１，３２ｆ２，３２ｆ３と基準白板３２ｆ４との間における、次に説明するような位置関係に基づいて、前記インクジェットプリンタ４０を支持している装置載置部３１の高さ位置が認識されるようになっている。
【００２２】
すなわち、上記高さ検知手段３２ｆを構成している上位センサ３２ｆ１、中位センサ３２ｆ２、及び下位センサ３２ｆ３の３個の各フォトセンサと、前記基準白板３２ｆ４との間の位置関係によって、図４に示されているような５段階の高さ位置が、上述したスタンド使用設定制御部４９において認識されるようになっている。より具体的には、図４（ａ）に示された最上位置では、上位センサ３２ｆ１のみが基準白板３２ｆ４と対面して検知信号を発しているが、その最上位置から１０ｃｍだけ下がった図４（ｂ）の標準位置では、上位センサ３２ｆ１及び中位センサ３２ｆ２の二つが、上記基準白板３２ｆ４と対面して検知信号それぞれを発している。また、その標準位置から１０ｃｍだけ下がった図４（ｃ）の位置では、上位センサ３２ｆ１、中位センサ３２ｆ２及び下位センサ３２ｆ３の三つが、ともに基準白板３２ｆ４と対面して検知信号それぞれを発しており、さらにそこから１０ｃｍだけ下がった図４（ｄ）の位置では、中位センサ３２ｆ２及び下位センサ３２ｆ３の二つが基準白板３２ｆ４と対面して検知信号それぞれを発している。さらに、そこから１０ｃｍだけ下がった図４（ｅ）の最下位置では、下位センサ３２ｆ３のみが上記基準白板３２ｆ４と対面して検知信号を発している。
【００２３】
このような３個の各フォトセンサ３２ｆ１，３２ｆ２，３２ｆ３から検知信号が発せられている状態が、図５中の上段における「センサ状態」の欄に「○」印でそれぞれ表されている。なお、この図５では、図１に表した最上位置、及び図２で表した最下位置が、状態１及び状態５でそれぞれ表されており、それらの間の位置が、状態２〜４で表されている。
【００２４】
一方、上述した各フォトセンサ３２ｆ１，３２ｆ２，３２ｆ３からの検知信号は、図３に示されているように、上述したモータ制御部３２ｅ５に印加され、そのモータ制御部３２ｅ５で、前述した上下スイッチ３２ｅ４からのスイッチング信号の一部を規制するようになされている。すなわち、図５中の上段における「モータ動作」の欄に示されているように、インクジェットプリンタ４０を支持している装置載置部３１が、上記３個のフォトセンサ３２ｆ１，３２ｆ２，３２ｆ３からの検知信号によって、図１の最上位置（図５の状態１）と図２の最下位置（図５の状態５）との間の位置（図５の状態２〜４）にあることが認識されたときには、上述した上下スイッチ３２ｅ４は、上方側及び下方側のいずれの方向にもスイッチング動作を行うことが上記モータ制御部３２ｅ５において許容されるが、上記装置載置部３１が、最上位置及び最下位置にあることがそれぞれ検出されたときには、前記上下スイッチ３２ｅ４による、それぞれ下方指示及び上方指示の一方側のスイッチング信号のみが上記モータ制御部３２ｅ５において受け付けられる構成になされている。このようなスイッチング動作の制御により、前記上下スイッチ３２ｅ４の誤った操作で装置が損傷・破壊されるような事態が回避されるようになっている。
【００２５】
また、上述したように、前記スタンド使用設定制御部４９では、各フォトセンサ３２ｆ１，３２ｆ２，３２ｆ３からの検知信号に基づいてインクジェットプリンタ４０を支持している装置載置部３１の高さ位置が認識されているが、その認識した高さ位置に従って、インクジェットプリンタ４０の最適な使用条件を自動調整してセットする構成になされている。すなわち、図５中の上段における「プリンタ印字動作処理」の欄にそれぞれ表された「Ａ」、「標準処理」、「Ｂ」、「Ｃ」、「Ｄ」のように、インクジェットプリンタ４０の使用条件が、高さ位置（図５の状態１〜５）に対応して自動調整されるようになっており、より具体的には、図５中の下段におけるような「オペレーションパネルＬＣＤコントラスト」、「印字乾燥時間」、「消耗品交換タイムアウト時間」及び「音声ガイド」の各項目が、検知された高さ位置に従って適宜に変更設定されるようになっている。
【００２６】
まず、「オペレーションパネルＬＣＤコントラスト」は、前述したインクジェットプリンタ４０の操作パネル４６として、ＬＣＤ表示板等が用いられている場合の調整制御に関するものであって、最上位置（図５の状態１）である場合には、操作パネル４６のコントラストが、初期設定された標準状態から強くなる方に＋１０°だけ印加電圧が変更調整される。また、標準状態が初期設定された標準位置（図５の状態２）から１０ｃｍだけ下方（図５の状態３）にある場合には、初期設定された標準状態からコントラストが弱くなる方に方に−１０°だけ変更調整され、更にそれより１０ｃｍだけ下方（図５の状態４）にある場合、及び最下位置（図５の状態５）にある場合には、初期設定された標準状態からコントラストが−２０°だけ弱くなる方に変更調整される。
【００２７】
また、「印字乾燥時間」の調整制御は、前述したインクジェットプリンタ４０の印字速度や、印字間隔あるいはカッティングするときの待機（ウエイト）時間を調整するものであって、最上位置（図５の状態１）にある場合、及び標準位置（図５の状態２）にある場合には、初期設定された標準状態のままに維持されるが、その標準位置（図５の状態２）から１０ｃｍだけ下方（図５の状態３）にある場合には、前記記録紙Ｐの落下時間が短くなって印字乾燥時間が短縮されてしまうことから、初期設定された標準状態よりも乾燥時間が＋１０％だけ長くなるように変更調整され、更にそこから１０ｃｍだけ下方（図５の状態４）にある場合、及び最下位置（図５の状態５）にある場合においては、初期設定された標準状態から乾燥時間が長くなる方に＋２０％だけ変更調整される。
【００２８】
さらに、「消耗品交換タイムアウト時間」は、前述したインクジェットプリンタ４０の印字ヘッド等の交換時間についての警告を行うことにより、インク供給部分などにおける乾燥による弊害を防止するための調整制御に関するものであって、最上位置（図５の状態１）にある場合、標準位置（図５の状態２）にある場合、及び標準位置（図５の状態２）から１０ｃｍだけ下方（図５の状態３）にある場合には、初期設定された標準状態のままに維持されるが、それより１０ｃｍだけ下方（図５の状態４）にある場合、及び最下位置（図５の状態５）にある場合には、オペレータが、例えば車椅子を利用した身障者の場合が考えられることから、警告を出すまでの時間を、初期設定された標準状態から＋２０％だけ長くなるように変更調整される。なお、このように警告を出すまでの時間が延長された分、回復処理などの機能を強化すること望ましい。
【００２９】
一方、「音声ガイド」は、操作又はメンテナンスに関する説明を音声で伝達するものであるが、当該「音声ガイド」の調整も、オペレータが車椅子を利用した身障者である場合を想定して設定されている。すなわち、最上位置（図５の状態１）にある場合、標準位置（図５の状態２）にある場合、及び標準位置（図５の状態２）から１０ｃｍだけ下方（図５の状態３）にある場合には、初期設定された標準状態と同様に、「音声ガイド無し」のままに維持されるが、そこから１０ｃｍだけ下方（図５の状態４）にある場合、及び最下位置（図５の状態５）にある場合には、オペレータが例えば車椅子を利用した身障者の場合が考えられるので、「音声ガイド有り」に変更調整される。なお、このときの「音声ガイド」を実行する内容は、操作又はメンテナンスに関して、いずれの程度までガイドするかを設定可能としておくことが望ましい。
【００３０】
このような構成を有する本実施形態にかかる画像形成装置の支持スタンド機構３０によれば、オペレータの身長などの使用条件に従って、支持スタンド機構３０の台座脚部３２が所望の高さ位置まで伸縮され、装置載置部３１上の画像形成装置としてのインクジェットプリンタ４０が、各オペレータに最も適した高さに支持される。従って、インクジェットプリンタ４０に対する操作・メンテナンスが円滑に行われるとともに、そのときのインクジェットプリンタ４０の高さ位置に適合した各種使用条件が自動的に調整されてセットされることから、上記インクジェットプリンタ４０における画像形成動作も良好に行われるようになっている。
【００３１】
以上本発明者によってなされた発明を実施形態に基づき具体的に説明したが、本発明は上記実施形態に限定されるものではなく、その要旨を逸脱しない範囲で種々変形可能であるというのはいうまでもない。
【００３２】
例えば本発明は、上述した実施形態のようなインクジェットプリンタに限定されることなく他の多種多様な画像形成装置に対しても同様に適用することが可能である。
【００３３】
【発明の効果】
以上説明したように本発明の請求項１にかかる画像形成装置の支持スタンド機構は、オペレータの身長などの使用条件に従って台座脚部を任意の高さまで伸縮可能とすることによって、装置載置部上の画像形成装置を各オペレータの各々に適した高さに支持して画像形成装置に対する操作・メンテナンスが円滑に行われるようにするとともに、そのときの画像形成装置の高さ位置に適合した画像形成装置の使用条件を自動的に調整してセットするスタンド使用設定制御部を設けて、画像形成装置における画像形成動作が良好に行われるように構成したものであるから、画像形成装置を常に最適な状態で使用することができ、画像形成装置の信頼性を高めることができる。
【００３４】
また、請求項２にかかる画像形成装置は、上記請求項１における台座脚部に、当該台座脚部を高さ方向に伸縮させるように駆動して前記装置載置部の高さ位置を変更する高さ可変駆動手段を設けて、画像形成装置の高さ位置が、上記高さ可変駆動手段の駆動によって容易に変更されるように構成したものであるから、上述した効果を更に高めることができる。
【００３５】
さらに、請求項３にかかる画像形成装置は、上記請求項２における高さ可変駆動手段に、当該高さ可変駆動手段を任意のタイミングで駆動させる上下スイッチを設け、その上下スイッチの操作を通して高さ可変駆動手段が任意のタイミングで駆動されることにより画像形成装置の高さ位置が一層容易に調整されるように構成したものであるから、上述した効果を一層確実に得ることができる。
【００３６】
さらにまた、請求項４にかかる画像形成装置は、上記請求項３における高さ可変駆動手段の上下スイッチに、装置載置部が最上位置にあるときには下方側へのスイッチ動作のみを受け付け、装置載置部が最下位置にあるときには上方側へのスイッチ動作のみを受け付ける駆動制御部を設けて、上下スイッチの誤った操作によって装置が損傷されるような事態を回避した構成になされていることから、上述した効果に加えて、操作の安全性を維持することができる。
【００３７】
一方、請求項５にかかる画像形成装置は、上記請求項１におけるスタンド使用設定制御部により調整する使用条件に、画像形成装置の操作又はメンテナンスに関する使用条件を含むことにより、画像形成装置の使用性を極めて良好に維持させるように構成したものであるから、上述した効果を更に向上させることができる。
【図面の簡単な説明】
【図１】本発明の一実施形態のかかる画像形成装置の支持スタンド機構が伸張した状態を表した側面透視説明図である。
【図２】図１に表した支持スタンド機構が縮小した状態を表した側面透視説明図である。
【図３】図１に表した支持スタンド機構に設けられた駆動系の概略構造を表したブロック線図である。
【図４】高さ検知手段を構成しているフォトセンサと基準白板との位置関係を模式的に表した側面説明図である。
【図５】各高さ位置に対応した検知状態及び制御内容を表した一覧である。
【図６】一般に用いられている画像形成装置の支持スタンド機構の一例を表した側面透視説明図である。
【図７】一般に用いられている画像形成装置の支持スタンド機構の他の例を表した側面透視説明図である。
【符号の説明】
３０　支持スタンド機構
３１　装置載置部
３２　台座脚部
３２ｃ　固定スタンド部
３２ｄ　可動スタンド部
３２ｅ　高さ可変駆動手段
３２ｅ１　駆動モータ
３２ｅ２　減速ギア列
３２ｅ３　ラックギア
３２ｅ４　上下スイッチ
３２ｅ５　モータ制御部
３２ｆ　高さ検知手段
３２ｆ１　上位センサ
３２ｆ２　中位センサ
３２ｆ３　下位センサ
３２ｆ４　基準白板
Ｐ　記録紙
４０　インクジェットプリンタ（画像形成装置）
４１　ロール体
４２　プラテン
４３　インクタンク
４４　印字ヘッド
４５　排紙スタッカ
４６　操作パネル
４７　電源部
４８　ケーブル
４８ａ　電源線
４８ｂ　信号線
４９　スタンド使用設定制御部
【図１】
2004017443.tif 000003
【図２】
2004017443.tif 000004
【図３】
2004017443.tif 000005
【図４】
2004017443.tif 000006
【図５】
2004017443.tif 000007
【図６】
2004017443.tif 000008
【図７】
2004017443.tif 000009